(57)【要約】【課題】  無駄な部分が少なく前後配列に適したパッケージを提供する。【解決手段】  パッケージ本体１１を、収容部１２が形成されたケース１３と、ケース１３の裏面に設けられた台紙１４で構成する。台紙１４の下部に谷折り部３１を設けて前方へ折曲できるようにする。台紙１４の第２山折り部４２を山折りして台紙１４の下部を裏面側に折り返し、第３山折り部５１より端部側を台紙１４の裏面に接着して折り返し部６１を形成する。この折り返し部６１で脚部６４を構成し、脚部６４を前方に折曲した折曲状態６３において、脚部６４の係止穴３４が係合する係止部８５をケース１３の収容部１２の下部に設ける。【選択図】        図４
2005178831.tif 000002
【特許請求の範囲】
【請求項１】
商品を収容する収容部が表面側へ膨出形成されたケースと、該ケースの裏面に設けられた台紙とによってパッケージ本体が形成されたパッケージにおいて、
前記台紙に、表面側へ折曲して前記収容部の下部へ延出させた折曲状態及び当該台紙の一般部の延長上に延出させた伸張状態を任意に形成可能な脚部を設け、該脚部に、前記収容部の下部に設けられた係止部と係合して前記折曲状態を維持する被係止部を設けたことを特徴とするパッケージ。
【請求項２】
前記折曲状態にて前記脚部の先端が形成する直線を前記台紙に対して略平行に設定するとともに、当該脚部を、前記収容部より前方へ突出する長さ寸法に設定したことを特徴とする請求項１記載のパッケージ。
【請求項３】
前記ケースの前記収容部の下部に表面側へ膨出する膨出部を形成し、該膨出部と前記収容部との間に凹部を形成して前記係止部を構成する一方、
前記脚部を、前記台紙の下縁を上方へ折り返して接合してなる折り返し部で構成し、前記折曲状態にて上方に配置される前記脚部の上面部に、開口縁部が前記凹部に係止される係止穴を形成して前記被係止部を構成するとともに、
前記折曲状態にて前記上面部と該上面部の下方に配置される下面部との間に間隙を形成する折り目を前記折り返し部に設定し、前記上面部と前記下面部との間に、前記上面部の前記係止穴を挿通した前記膨出部が収容される収容空間を形成したことを特徴とする請求項１又は２記載のパッケージ。
【請求項４】
前記台紙の下部を裏面側に折り返して前記折り返し部を形成したことを特徴とする請求項３記載のパッケージ。
【発明の詳細な説明】
【技術分野】
【０００１】
本発明は、商品を収容して陳列するパッケージに関する。
【背景技術】
【０００２】
従来、商品を陳列する際には、図５に示すようなパッケージ１０１が使用されていた（例えば、特許文献１参照。）。
【０００３】
このパッケージ１０１は、商品を収容する収容部１１１，１１１が二箇所に膨出形成されたケース１１２と、該ケース１１２の裏面を閉鎖する台紙１１３とによって形成されている。該台紙１１３の上縁部には、吊り下げ穴１１４が設けられており、当該パッケージ１０１を吊り下げられるように構成されている。また、前記各収容部１１１，１１１の下部には、補助用凹部１１５，１１５が膨出形成されており、当該パッケージ１０１を起立状態に維持できるように構成されている。
【０００４】
これにより、このパッケージ１０１に収容された商品を、店頭で吊り下げて又は起立して陳列できるように構成されている。
【特許文献１】特開平１０−１２００２４号公報
【発明の開示】
【発明が解決しようとする課題】
【０００５】
しかしながら、このようなパッケージ１０１にあっては、パッケージ１０１を安定的に起立させる為に、二箇所に補助用凹部１１５，１１５を設けたり、比較的大きな補助用凹部１１５を形成しなければならず、無駄が多いという問題があった。
【０００６】
また、収容部１１１が一箇所に形成されたパッケージ１０１を起立して手前から奥側へ配列した場合、手前側のパッケージ１０１の平坦な台紙１１３が奥側のパッケージ１０１に膨出形成された収容部１１１に当接することとなる。この場合、パッケージ１０１を奥側へ押し込む際に、手前側のパッケージ１０１が奥側のパッケージ１０１の収容部１１１を中心に傾斜して横向きになってしまう。これにより、陳列状態における見栄えが悪化するという他の問題もあった。
【０００７】
本発明は、このような従来の課題に鑑みてなされたものであり、無駄な部分の少ないパッケージを提供することを目的とするものである。
【課題を解決するための手段】
【０００８】
前記課題を解決するために本発明の請求項１のパッケージにあっては、商品を収容する収容部が表面側へ膨出形成されたケースと、該ケースの裏面に設けられた台紙とによってパッケージ本体が形成されたパッケージにおいて、前記台紙に、表面側へ折曲して前記収容部の下部へ延出させた折曲状態及び当該台紙の一般部の延長上に延出させた伸張状態を任意に形成可能な脚部を設け、該脚部に、前記収容部の下部に設けられた係止部と係合して前記折曲状態を維持する被係止部を設けた。
【０００９】
すなわち、このパッケージを起立して陳列する際には、台紙に設けられた脚部を表面側へ折曲して折曲状態を形成する。そして、前記脚部に設けられた被係止部をケースの収容部の下部に設けられた係止部と係合して前記折曲状態を維持する。これにより、商品が収容された収容部の下部には、前記台紙より延出する脚部が配設され、パッケージ本体の前のめりが防止される。
【００１０】
また、請求項２のパッケージにおいては、前記折曲状態にて前記脚部の先端が形成する直線を前記台紙に対して略平行に設定するとともに、当該脚部を、前記収容部より前方へ突出する長さ寸法に設定した。
【００１１】
すなわち、脚部を折曲状態にして自立させたパッケージを、手前から奥側へ複数配列した際には、手前側のパッケージの台紙裏面に奥側のパッケージの脚部が当接し、当該脚部によって両パッケージの離間距離が維持される。このとき、前記脚部先端で形成される直線は、前記台紙に対して略平行となるように設定されている。このため、前後に配置された両パッケージは、前方へ向いた状態が維持される。
【００１２】
さらに、請求項３のパッケージでは、前記ケースの前記収容部の下部に表面側へ膨出する膨出部を形成し、該膨出部と前記収容部との間に凹部を形成して前記係止部を構成する一方、前記脚部を、前記台紙の下縁を上方へ折り返して接合してなる折り返し部で構成し、前記折曲状態にて上方に配置される前記脚部の上面部に、開口縁部が前記凹部に係止される係止穴を形成して前記被係止部を構成するとともに、前記折曲状態にて前記上面部と該上面部の下方に配置される下面部との間に間隙を形成する折り目を前記折り返し部に設定し、前記上面部と前記下面部との間に、前記上面部の前記係止穴を挿通した前記膨出部が収容される収容空間を形成した。
【００１３】
すなわち、前記折曲状態を形成する際には、台紙に設けられた脚部を表面側へ折曲する。そして、この脚部の上面部に設けられた係止穴に、ケースの収容部の下部に設けられた膨出部を挿入し、前記係止穴の開口縁部を、前記膨出部と前記収容部間に形成された凹部に係止して前記折曲状態を維持する。
【００１４】
このとき、前記係止穴を挿通した前記膨出部は、前記上面部より下方へ突出することとなるが、前記上面部の下方には、前記脚部を構成する折り返し部の下面部が設けられており、該下面部と前記上面部との間には、前記膨出部を収容する収容空間が形成されている。
【００１５】
このため、前記膨出部の下方への突出が防止されるとともに、当該パッケージ本体の底面が前記脚部の前記下面部によって構成される。
【００１６】
加えて、請求項４のパッケージにあっては、前記台紙の下部を裏面側に折り返して前記折り返し部を形成した。
【００１７】
すなわち、前記台紙には、表面と裏面とがあり、比較的品質の良い表面に、商品を収容するケースが設けられるとともに印刷等が施されている。
【００１８】
ここで、前記脚部を形成する前記折り返し部は、前記台紙の下部が裏面側に折り返されて形成されており、この折り返し部からなる前記脚部を表面側へ折曲した際には、商品の下部に配置される前記上面部が前記表面で構成される。
【発明の効果】
【００１９】
以上説明したように本発明の請求項１のパッケージにあっては、前側へ折曲される脚部を台紙に設けるとともに、ケースの収容部の下部に、前記脚部の被係止部と係合する係止部を設けるだけで、パッケージ本体を自立させることができる。
【００２０】
このため、パッケージの収容部の下部に複数の又は比較的大きな突出部を形成しなければならなかった従来と比較して、パッケージの材料費を削減することができる。また、パッケージの専有空間を小さくすることもできるため、運送コストを抑えることができる。
【００２１】
また、請求項２のパッケージにおいては、脚部を折曲状態にして自立させたパッケージを手前側から奥側へ複数配列した際には、手前側のパッケージの台紙裏面に奥側のパッケージの脚部が当接した状態で、前後に配置された両パッケージを、前方へ向いた状態に維持することができる。
【００２２】
このため、手前側のパッケージの台紙に奥側のパッケージに膨出形成された収容部が当接する構造上、例えば配列されたパッケージを奥側へ押し込む際に、手前側のパッケージが奥側のパッケージの収容部を中心に傾斜して横を向いてしまうといった不具合を防止することができ、陳列時の見栄えを向上することができる。
【００２３】
さらに、請求項３のパッケージでは、ケースの収容部の下部に膨出部を設けるとともに脚部の上面部に係止穴を設けるだけで、別部材を用いること無く、折曲状態の保持構造を形成することができる。
【００２４】
そして、この折曲状態において、前記膨出部を、前記脚部の上面部と下面部間の収容空間に収容することで、前記膨出部の下方への突出を防止し、前記下面部によって当該パッケージ本体の底面を形成することができる。
【００２５】
このため、前記膨出部でパッケージ本体を支持しなければならない場合と比較して、パッケージの自立性を悪化させること無く、前記膨出部の小型化を図ることができる。
【００２６】
加えて、請求項４のパッケージにあっては、台紙の下部を裏面側に折り返して前記脚部を構成する折り返し部を形成したため、商品の下部に配置される脚部の上面部を、比較的品質の高い台紙の表面で構成することができる。
【００２７】
このため、台紙の裏面が、表側に表出する場合と比較して、外観品質を高めることができる。
【発明を実施するための最良の形態】
【００２８】
以下、本発明の一の実施の形態を図に従って説明する。図１は、本実施の形態にかかるパッケージ１を示す図であり、該パッケージ１は、商品を陳列する際に使用するものである。
【００２９】
このパッケージ１のパッケージ本体１１は、商品を収容する収容部１２が形成されたケース１３と、該ケース１３の裏面に設けられた台紙１４とによって構成されている。
【００３０】
該台紙１４は、ボール紙で形成されたものを示すが、折曲できる板状のものであれば合成樹脂等であっても良い。この台紙１４は、図２に示すように、縦長の長方形状に形成されており、上縁部には、陳列フックが挿入される吊り下げ穴２１が設けられている。該吊り下げ穴２１が設けられた上部には、前記ケース１３が固定されるケース固定面２２が設定されており、該ケース固定面２２には、商品名などの印刷が施されている。
【００３１】
この固定面２２の下縁には、当該台紙１４を横断する折り目である谷折り部３１が設けられており、該谷折り部３１より端部側を前方へ折曲できるように構成されている（図１参照）。この谷折り部３１の中途部には、下方へ突出した舌片３２が形成されており、前記台紙１４には、この舌片３２に沿った切り込み３３，３３が形成され、前記舌片３２を回避して当該台紙１４を折曲できるように構成されている。そして、前記舌片３２の先端には、被係止部としての台形状の係止穴３４が開設されている。
【００３２】
前記谷折り部３１より下方には、当該台紙１４を横断する第１山折り部４１が前記谷折り部３１に平行して形成されており、当該第１山折り部４１より端部側を下方へ折曲できるように構成されている（図１参照）。この第１山折り部４１より下方には、当該台紙１４を横断する第２山折り部４２が前記谷折り部３１に平行して形成されており、当該第２山折り部４２より端部側を裏面側へ折曲できるように構成されている（図１参照）。
【００３３】
前記第２山折り部４２より下方には、当該台紙１４を横断する第３山折り部５１が前記谷折り部３１に平行して形成されており、当該第３山折り部５１より端部側を上方へ折曲できるように構成されている（図１参照）。そして、当該台紙１４の下縁には、前記第３山折り部５１に到達する切欠部５２，５２が二箇所に形成されており、両切欠部５２，５２は、前記舌片３２両脇の切り込み３３，３３に合致する位置に設けられている（図３参照）。
【００３４】
これにより、図３に示すように、前記第２山折り部４２を山折りして当該台紙１４の下部を裏面側に折り返すとともに、前記第３山折り部５１より端部側に形成された部位の先端部を台紙１４の裏面に接着することで、当該台紙１４の下部に折り返し部６１が形成されている。この折り返し部６１は、当該台紙１４の一般部であるケース固定面２２の延長上に延在する伸張状態６２と、図４に示すように、表面側へ折曲して前記収容部１２の下部へ延出させた折曲状態６３とを任意に形成できるように構成されており、この折り返し部６１は、当該パッケージ本体１１を自立させる為の脚部６４を構成している。
【００３５】
この折曲状態６３において、図１にも示したように、前記脚部６４の前記谷折り部３１と前記第１山折り部４１との間には、前記係止穴３４を備えた上方に配置される上面部７１が形成されており、前記第１山折り部４１と前記第２山折り部４２との間には、前壁を構成する前面部７２が形成されている。前記第２山折り部４２と前記第３山折り部５１との間には、当該パッケージ本体１１の底面を構成する下面部７３が形成されており、前記第３山折り部５１より端部側には、前記ケース固定面２２の裏面に固定される固定部７４が形成されている。そして、この固定部７４は、前記上面部７１と前記下面部７３とを平行に維持できるように先端部が前記ケース固定面２２に接着されており、前記上面部７１と前記下面部７３との間には、収容空間７５が形成されてる。
【００３６】
前記ケース固定面２２から当該脚部６４先端までの長さ寸法Ｓ１は、図４に示したように、前記ケース固定面２２より突出した前記収容部１２における最大突出量Ｓ２より大きくなるように設定されており、前記脚部６４は、前記収容部１２より前方へ突出するように構成されている。このとき、直線状に配置された前端を構成する前記前面部７２は、前記台紙１４の前記ケース固定面２２に対して略平行となるように設定されている。
【００３７】
前記ケース１３は、図１にも示したように、透明なプラスチックによって形成されており、該ケース１３には、表面側に突出した縦長の前記収容部１２が膨出形成されている。この収容部１２は、陳列する商品に適合した立体形状に形成されており、前記商品を裏面側から収容して表面側へ表出できるように構成されている。前記収容部１２の外周部には、平板状の固定部８１が設けられており、該固定部８１がヒートシールによって前記台紙１４に固定されている。
【００３８】
前記収容部１２の下部には、図４にも示したように、表面側へ突出する係止部８５が連続して形成されており、該係止部８５は、突出量が前記収容部１２より小さな膨出部８６と、該膨出部８６と前記収容部１２間に設けられた突出量がさらに低い凹部８７とによって構成されている。
【００３９】
前記膨出部８６は、前記脚部６４を表面側へ折曲して前記折曲状態６３とした際に、前記脚部６４の上面部７１に開設された前記係止穴３４を挿通する位置に形成されており、該係止穴３４を挿通した状態で、当該係止穴３４の開口縁部が前記凹部８７に係止されるとともに、前記膨出部８６が前記上面部７１と前記下面部７３間に形成された前記収容空間７５に収容されるように構成されている。
【００４０】
これにより、前記脚部６４を前記収容部１２の下部へ延出させた際には、当該脚部６４に設けられた係止穴３４が前記収容部１２の下部に設けられた前記係止部８５と係合して前記折曲状態６３を維持できるように構成されている。
【００４１】
以上の構成にかかる本実施の形態において、このパッケージ１を起立して陳列する際には、台紙１４に設けられた脚部６４を表面側へ折曲して折曲状態６３を形成する。そして、前記脚部６４に設けられた被係止部である係止穴３４をケース１３の収容部１２の下部に設けられた係止部８５と係合して前記折曲状態６３を維持する。
【００４２】
具体的に説明すると、前記脚部６４の上面部７１に設けられた係止穴３４に、ケース１３の収容部１２の下部に設けられた膨出部８６を挿入し、前記係止穴３４の開口縁部を、前記膨出部８６と前記収容部１２間に形成された凹部８７に係止して前記折曲状態６３を維持する。これにより、商品が収容された収容部１２の下部には、前記台紙１４より延出する脚部６４が配設され、パッケージ本体１１の前のめりが防止される。
【００４３】
この自立したパッケージ１を、手前から奥側へ複数配列した際には、手前側のパッケージ１の台紙１４裏面に奥側のパッケージ１の脚部６４の前面部７２が当接し、当該脚部６４によって両パッケージ１，１の離間距離が維持される。このとき、前記脚部６４先端の前面部７２が形成する直線は、前記台紙１４のケース固定面２２に対して略平行となるように設定されている。このため、前後に配置された両パッケージ１，１は、前方へ向いた状態が維持される。
【００４４】
このように、前側へ折曲される脚部６４を台紙１４に設けるとともに、ケース１３の収容部１２の下部に、前記脚部６４の係止穴３４と係合する係止部８５を設けるだけで、パッケージ本体１１を自立させることができる。
【００４５】
このため、ケースの収容部の下部に複数の又は比較的大きな突出部を形成しなければならなかった従来と比較して、ケース１３の材料費を削減することができる。また、これによりパッケージ１の専有空間を小さくすることもできるため、運送コストを抑えることができる。
【００４６】
そして、このパッケージ１を手前側から奥側へ複数配列した際には、手前側のパッケージ１の台紙１４裏面に奥側のパッケージ１の脚部６４を当接した状態で、前後に配置された両パッケージ１，１を、前方へ向いた状態に維持することができる。
【００４７】
このため、手前側のパッケージの台紙に奥側のパッケージに膨出形成された収容部が当接する構造上、例えば配列されたパッケージ１，・・・を奥側へ押し込む際に、手前側のパッケージ１が奥側のパッケージ１の収容部１２を中心に傾斜して横を向いてしまうといった不具合を防止することができ、陳列時の見栄えを向上することができる。
【００４８】
また、前記折曲状態６３において、前記脚部６４上面部７１の係止穴３４を挿通した前記膨出部８６は、前記上面部７１より下方へ突出することとなるが、前記上面部７１の下方には、前記脚部６４を構成する折り返し部６１の下面部７３が設けられており、該下面部７３と前記上面部７１との間には、前記膨出部８６を収容する収容空間７５が形成されている。
【００４９】
このため、前記膨出部８６の下方への突出が防止されるとともに、当該パッケージ本体１１の底面を前記脚部６４の前記下面部７３で構成することができる。したがって、前記膨出部８６でパッケージ本体１１を支持しなければならない場合と比較して、パッケージ１の自立性を悪化させること無く、前記膨出部８６の小型化を図ることができる。
【００５０】
一方、前記台紙１４には、表面９１と裏面９２とがあり、比較的品質の良い表面９１に、商品を収容する前記ケース１３が設けられるとともに印刷等が施されている。
【００５１】
ここで、本実施の形態にあっては、前記脚部６４を形成する前記折り返し部６１は、前記台紙１４の下部が裏面９２側に折り返されて形成されており、この折り返し部６１からなる前記脚部６４を前方側へ折曲した際には、商品の下部に配置される前記上面部７１を、比較的品質の高い台紙の前記表面９１で構成することができる。
【００５２】
このため、台紙１４の裏面９２が表側に折り返されて脚部６４が形成され台紙１４の裏面９２が表側に表出する場合と比較して、外観品質を高めることができる。
【図面の簡単な説明】
【００５３】
【図１】本発明の一実施の形態を示す斜視図である。
【図２】同実施の形態の台紙を展開した状態を示す図である。
【図３】同実施の形態の正面図である。
【図４】同実施の形態の側面図である。
【図５】従来のパッケージを示す斜視図である。
【符号の説明】
【００５４】
１    パッケージ
１１    パッケージ本体
１２    収容部
１３    ケース
１４    台紙
３１    谷折り部
３４    係止穴
４１    第１山折り部
４２    第２山折り部
５１    第３山折り部
６１    折り返し部
６２    伸張状態
６３    折曲状態
６４    脚部
７１    上面部
７３    下面部
７５    収容空間
８５    係止部
８６    膨出部
８７    凹部
【図１】
2005178831.tif 000003
【図２】
2005178831.tif 000004
【図３】
2005178831.tif 000005
【図４】
2005178831.tif 000006
【図５】
2005178831.tif 000007